(57)【特許請求の範囲】
【請求項１】
積み重ね容器における上面を開放した容器本体の相対向する側板の前方下部に、前後に移動可能な前棚を前方で支持する前方下受レールを形成し、側板の下端には積み上げ兼前棚を後方で支持する積み上げ後受レールを形設すると共に、積み上げ後受レールの上方に前棚を収納する空間部を設け、その上方に側板間に連結した連結板を設け、連結板の上面に前後に移動可能な後棚を収納し、かつ両側板に後棚及び前棚の移動時の動きを規制するための押え板を形成したことを特徴とする積み重ね容器における移動棚構造。
【請求項２】
前棚の台上面と後棚の水平台上面とを同一線上に形成したことを特徴とする請求項１記載の積み重ね容器における移動棚構造。
【請求項３】
前棚の前面に設けた取っ手に、品物の大小に合わせて上下方向に作動可能な止め具を設けたことを特徴とする請求項１又は２記載の積み重ね容器における移動棚構造。
【発明の詳細な説明】
【０００１】
【発明の属する技術分野】
本発明は、積み重ね容器の移動棚構造において、前棚及び後棚上に置いてある品物を効率よく取り出せると共に、両棚の収納を簡便に行い、下段の容器の品物を容易に取り出し得るようにし、かつ品物の大小にも対応した積み重ね容器における移動棚構造に関するものである。
【０００２】
【従来の技術】
スーパーマーケット、特にディスカウントストアーにおいては、品物を個々に陳列棚に置く手間を省くため、例えば食品や雑貨類を収納したボール箱が上面や前面を切開した状態のままで店内に配置され、客はそのボール箱内の品物を直接取り出すようになっている。
【０００３】
また、容器における前棚及び後棚が移動するタイプのものがあるが、前棚より後棚の方が上方に位置しているため段差状になっている。
【０００４】
【発明が解決しようとする課題】
しかしながら、上記前者においては上段の容器（ケース）を取り外さなければ下段の容器からは品物を取り出せないという不具合があった。
また、後者の場合においては段差状になっているため後棚の方の品物が高くなり、品物によっては容器は重ねた時、上方の容器の底面に品物が当ってしまう恐れがある。
そこで、本発明はかかる従来の課題に鑑みて、容器を複数段積み重ねた状態で中の品物を容易に取り出し得るように、前棚及び後棚の出し入れが容易に行うことができる積み重ね容器における移動棚構造を提供するものである。
【０００５】
【課題を解決するための手段】
解決する手段として、積み重ね容器における上面を開放した容器本体の相対向する側板の前方下部に、前後に移動可能な前棚を前方で支持する前方下受レールを形成し、側板の下端には積み上げ兼前棚を後方で支持する積み上げ後受レールを形設すると共に、積み上げ後受レールの上方に前棚を収納する空間部を設け、その上方に側板間に連結した連結板を設け、連結板の上面に前後に移動可能な後棚を収納し、かつ両側板に後棚及び前棚の移動時の動きを規制するための押え板を形成する。
また、前棚の台上面と後棚の水平台上面とを同一線上に形成する。
さらに、前棚の前面に設けた取っ手に、品物大小に合せて上下方向に作動可能な止め具を設ける。
【０００６】
【発明の実施の形態】
以下、本発明の実施例を図面に基づいて詳細に説明する。
積み重ね容器Ａにおける移動棚構造１は、上面を解放した容器本体２における相対向する側板３の内側前方下部に、前後に移動可能な両側に切り欠き部４ａ１２を形成した正面逆Ｖ字形の取っ手４ａ１を先端に設け、後端を下方に折曲してなる案内片４ａ２を形設した台４ａの下面に脚片４ｂ・４ｂを突設してなる前棚４を、前方で支持するアーチ形の前方下受レール５を形成し、側板３・３の下端には積み上げる容器を係止する機能と、前棚４を後方で支持する機能を有する断面コの字形の積み上げ後受レール６を形設してある。
また、積み上げ後受レール６の後部上方に、前棚４を収納する空間部７を設け、その上方に側板３・３間に連結した先端部をへの字形に折曲してなる連結板９を設け、連結板９の上面に前後に移動可能な、前方に指掛孔８ａ１を穿設した水平台８ａの下面に脚片８ｂ・８ｂを突設してなる後棚８を収納する。
さらに、段差状の押え本体１０ａに後棚８が後方に位置した時に押える円弧状の後方押え片１０ａ１と、後棚８が前方に位置した時に押える同じく円弧状の前方押え片１０ａ２をそれぞれ下方に突設してなる後棚押え板１０と、前棚４を前方の位置で押えるべく水平な押え本体１１ａの下方に円弧状の押え片１１ａ１を突設してなる前棚押え板１１を、それぞれ側板３・３に形成してある。
なお、台４ａの上面４ａ１と水平台８ａの上面８ａ１とは同一線上に形成してある。
また、側板３・３の先端には前棚４の取っ手４ａ１を係止する係止片１２を設けてある。
【０００７】
つぎに、使用例を説明する。
通常は、前棚４を前方下受レール５上に、後棚８は連結板９上にそれぞれセットし、台４ａ及び水平台８ａの上面４ａ１・８ａ１に所要の品物（例えば卵パック等）を置き、積み上げ後受レール６を下段の積み重ね容器Ａ１の上端面に載置させ、必要に応じて数段積み上げる。
その後、店内のフロアーに陳列し、お客様が上段の積み重ね容器Ａ内にある手前の品物Ｂ（前棚４の品物）を順次取って行き、前棚４の品物Ｂがなくなった時点で後棚８の指掛孔８ａ１に指を入れ、手前に引くことにより、連結板９上を移動しながら脚片８ｂ・８ｂを台４ａの上面に持って来て、後棚８を前棚４の上面４ａ１に位置させる。（この時、前方押え片１０ａ２にて後棚８の水平台８ａを押えている。）
この状態で、後棚８の品物Ｃを取り出し、品物Ｃがなくなった時点で前棚４の取っ手４ａ１を後方へ押し込むことにより、案内片４ａ２が連結板９の下面にすべり込み脚片４ｂ・４ｂが積み上げ後受レール６上に支持され、空間部７内に前棚４を収納する。
同時に、後棚８も後方へ押され、元の位置（連結板９の上面）に収納される。（この時、後方押え片１０ａ１にて固定される。）
つづいて、下段の積み重ね容器Ａ１内の品物を取り出し、これらの動作を順次繰り返すものである。
なお、後棚８を先に押し込んで収納し、後で前棚４を押し込んで収納してもよい。
【０００８】
つぎに、第２実施例を説明すると、前棚２４の取っ手２４ａ１の両側に、上部に係止溝１３ａ１を設けた支持レール１３ａと、支持レール１３ａの係止溝１３ａ１に係止する凸部１３ｂ２を設けると共に、上部中央に指掛孔１３ｂ１を穿設した平板状の止め板１３ｂとからなる品物の大小に合せて上下動させる止め具１３を設けてある。
【０００９】
また、第３実施例の止め具１４は前棚３４の取っ手３４ａ１の上面に自立すべく、上部両側に側板３３より内側に突設した係止ピン３３ａに係止する、係止溝１４ａ１を形設し、下部両側には折り畳み時に係止片３２を収納する切り欠き部１４ａ２を形設すると共に、長孔１４ａ３を設けた支持片１４ａ４を突設した略
0003653604.tif 000002
べく取っ手３４ａ１の前面に、支持ピン１４ｂ１を架設した支持台１４ｂ２及び上記支持片１４ａ４を挟持する挟持片１４ｂ３を突設してた支持部１４ｂを設け、支持片１４ａ４の長孔１４ｂ３に支持ピン１４ｂ１を挿入して回動自在に形成してなるものである。
なお、支持片１４ａ４及び支持部１４ｂは左右対称位置に２箇所設けてなるもので、上記第２実施例と同様に前面より品物が落下しないよう品物の大小に合せて上下動させるものである。
【００１０】
なお、上記実施例において、前棚及び後棚が前後に移動でき、台及び水平台が同一線上に形成できる形状であれば他の形状でもよい。
また、積み重ね容器の形状も上記実施例に限定せず、例えば特願平８−２１４００８号公報記載の形状のものでもよい。
【００１１】
【発明の効果】
以上、説明したように本発明の積み重ね容器における移動棚構造によれば、積み重ね容器を複数段積み重ねた状態で中の品物を容易に取り出し得るように、前棚及び後棚を前後に移動可能とし、前棚の台と後棚の水平台の上面を同一線上に形成することにより容器内の品物を整然と並べることができる効果を有すると共に、前棚を後棚の下方に移動できることにより後棚にある品物を傷付けることなく、前方に移動でき、かつ止め具により品物の落下を防止できる効果を有する。
【図面の簡単な説明】
【図１】本発明の第１実施例を示す積み重ね容器における移動棚構造の縦断正面図。
【図２】本発明の第１実施例を示す積み重ね容器における移動棚構造の一部縦断側面図。
【図３】本発明の第１実施例を示す積み重ね容器における移動棚構造の要部の破断斜視図。
【図４】本発明の第１実施例を示す積み重ね容器における移動棚構造の後棚を前方に移動させた使用状態図。
【図５】本発明の第１実施例を示す積み重ね容器における移動棚構造の前棚と後棚を後方へ移動させた使用状態図。
【図６】本発明の第２実施例を示す積み重ね容器における移動棚構造の前棚における要部の縦断正面図。
【図７】本発明の第２実施例を示す積み重ね容器における移動棚構造の前棚の側面図。
【図８】本発明の第３実施例を示す積み重ね容器における移動棚構造の前棚における要部の縦断正面図。
【図９】本発明の第３実施例を示す積み重ね容器における移動棚構造の前棚における要部の側面図。
【符号の説明】
１−−−移動棚構造
２−−−容器本体
３−−−側板
４−−−前棚
５−−−前方下受レール
６−−−積み上げ後受レール
７−−−空間部
８−−−後棚
９−−−連結板
１０−−後棚押え板
１１−−前棚押え板
１２−−係止片
１３−−止め具
【図１】
0003653604.tif 000003
【図２】
0003653604.tif 000004
【図３】
0003653604.tif 000005
【図４】
0003653604.tif 000006
【図５】
0003653604.tif 000007
【図６】
0003653604.tif 000008
【図７】
0003653604.tif 000009
【図８】
0003653604.tif 000010
【図９】
0003653604.tif 000011